(57)【要約】【課題】カッターの回転時にカッターの刃先に触れることを防止することができる管体切断装置を提供する。【解決手段】ホース５０は複数のガイド部材２４、２６によって支持台１８に支持され、回転する円板状のカッター１２によりホース５０が切断される。カッター１２には、カッター１２の周囲及び側面を覆うようにカバー１４が設けられており、カバー１４の下部には、カッター１２の刃先を露出させる切り欠き部１４Ｅ、１４Ｆが設けられている。カバー１４の両側面の切り欠き部１４Ｅ、１４Ｆが設けられた位置には、切断部Ａを覆う位置から切断部Ａに対して退避する位置まで揺動する揺動カバー３０、３４が設けられている。また、カッター１２をホース５０の軸方向と直交する方向に相対的に移動させる移動装置４０が設けられており、ホース５０の切断時にホース５０の周面に押されて揺動カバー３０、３４が揺動する。【選択図】図１
2010131692.tif 000002
【特許請求の範囲】
【請求項１】
管体を保持する保持部と、
回転可能に設けられると共に、前記保持部に保持された管体を周囲の刃先で切断する円板状のカッターと、
前記保持部に保持された管体の軸方向と直交する方向に前記カッターを相対的に移動させる移動手段と、
前記カッターの周囲における前記管体の切断部を除いた部位を覆うように設けられたカバーと、
前記カバーに設けられ、管体の切断時に前記切断部に配置された管体の周面に押されて前記切断部を覆う位置から前記切断部に対して退避する位置まで揺動する揺動カバーと、
を有する管体切断装置。
【請求項２】
前記揺動カバーは、前記カッターの両側面と対向する位置にそれぞれ設けられると共に、前記カバーに回転可能に支持されている請求項１に記載の管体切断装置。
【発明の詳細な説明】
【技術分野】
【０００１】
本発明は、管体を切断する円板状のカッターを備えた管体切断装置に関する。
【背景技術】
【０００２】
従来から、ホース等の弾性管体を切断する切断装置が提案されている。この切断装置は、例えば、回転可能な円板状のカッターを備えており、カッターの周囲に形成された刃先の露出部（刃の出しろ部分）で弾性管体を切断している（特許文献１を参照）。
【特許文献１】特開２００４−１２２２７６号公報
【発明の開示】
【発明が解決しようとする課題】
【０００３】
上記特許文献１では、カッターの周囲に弾性管体を切断するための刃先の露出部があり、カッターの回転時にユーザーがカッターの刃先に触れる危険性がある。
【０００４】
本発明は、上記問題点に鑑みてなされたものであり、カッターの回転時にカッターの刃先に触れることを防止することができる管体切断装置を提供することを目的とする。
【課題を解決するための手段】
【０００５】
請求項１に記載の発明に係る管体切断装置は、管体を保持する保持部と、回転可能に設けられると共に、前記保持部に保持された管体を周囲の刃先で切断する円板状のカッターと、前記保持部に保持された管体の軸方向と直交する方向に前記カッターを相対的に移動させる移動手段と、前記カッターの周囲における前記管体の切断部を除いた部位を覆うように設けられたカバーと、前記カバーに設けられ、管体の切断時に前記切断部に配置された管体の周面に押されて前記切断部を覆う位置から前記切断部に対して退避する位置まで揺動する揺動カバーと、を有する。
【０００６】
請求項１に記載の発明によれば、回転可能な円板状のカッターが設けられており、移動手段により保持部に保持された管体の軸方向と直交する方向にカッターを相対的に移動させる。これにより、カッターの周囲の刃先で管体を切断する。カッターの周囲には管体の切断部を除いた部位を覆うようにカバーが設けられると共に、カバーには揺動カバーが設けられており、管体の切断時に管体の周面に押されて揺動カバーが切断部を覆う位置から切断部に対して退避する位置まで揺動する。すなわち、管体の切断を開始する際には、揺動カバーがカッターの周囲における管体の切断部を覆っており、管体がカッターで切断される過程で管体の周面に押されて揺動カバーが切断部を覆う位置から切断部に対して退避する位置まで揺動し、管体の切断時に揺動カバーが管体と干渉しない。これにより、カッターの回転時にユーザーがカッターの刃先に触れるのを防止することができる。
【０００７】
請求項２に記載の発明は、請求項１に記載の管体切断装置において、前記揺動カバーは、前記カッターの両側面と対向する位置にそれぞれ設けられると共に、前記カバーに回転可能に支持されている。
【０００８】
請求項２に記載の発明では、揺動カバーは、カッターの両側面と対向する位置にそれぞれ設けられており、揺動カバーがカバーに回転可能に支持されている。これによって、揺動カバーが切断部を覆う位置から切断部に対して退避する位置まで回転する。カッターの両側面と対向する位置に揺動カバーを設けることにより、揺動カバーの支持構造が簡単になると共に、カッターの回転時にユーザーがカッターの刃先に触れるのをより効果的に防止することができる。
【発明の効果】
【０００９】
本発明に係る管体切断装置は、カッターの回転時にユーザーがカッターの刃先に触れるのを防止することができる。
【発明を実施するための最良の形態】
【００１０】
以下、本発明の管体切断装置における実施の形態を図面に基づいて説明する。
【００１１】
図１には、本発明の一実施形態である管体切断装置１０を一方向から見た側面図が示されている。また、図３には、この管体切断装置１０を図１と反対側方向から見た側面図が示されている。さらに、図５には、この管体切断装置１０の断面図が示されている。
【００１２】
これらの図に示されるように、管体切断装置１０は、管体としてのゴム製のホース５０を切断する円板状のカッター１２と、カッター１２の周囲及び片側側面を覆うように配置されたカバー１４と、を備えている。カッター１２の周囲には、ホース５０を切断するための刃先が形成されている。カバー１４は、支持台１８に形成された溝部１８Ａに立設された支持部材１６の先端部に固定支持されている。カバー１４は、カッター１２の半径方向に沿った断面が略Ｕ字状に形成されており、カッター１２の下端部１２Ａがカバー１４の下端部１４Ａから下方側に突出している。カッター１２の下端部１２Ａは、支持台１８の溝部１８Ａに挿入されている。
【００１３】
カッター１２の中心部には、カバー１４に回転可能に支持された回転軸２０が設けられており、回転軸２０に連結されたモータ２２によりカッター１２が一定方向（図中の矢印方向）に回転する。カッター１２の下端部１２Ａと対向する支持台１８の側部には、ホース５０を保持する保持部としての複数の棒状のガイド部材２４が略水平方向に間隔をおいて配設されている。ホース５０は複数のガイド部材２４の上面に接するように配置される。本実施形態では、ガイド部材２４は４本設けられており、ホース５０が長手方向に緩やかに湾曲して保持されるように、中央部のガイド部材２４が両端部のガイド部材２４よりも上方に配置されている。また、両端部のガイド部材２４の上方側には、ホース５０の上面と当接してホース５０を支持台１８に固定する棒状のガイド部材２６が設けられている。
【００１４】
カバー１４の片側の側部１４Ｂの中央部には、円形の開口部１４Ｄが形成されており、側部１４Ｂの斜め下方側には、カッター１２の下端部１２Ａに形成された刃先の一部を露出させる切り欠き部１４Ｅが形成されている。切り欠き部１４Ｅに露出したカッター１２の刃先と対向する位置が、複数のガイド部材２４、２６に保持されたホース５０の切断部Ａとなっている（図２参照）。言い換えると、カバー１４の側部１４Ｂは、カッター１２の周囲におけるホース５０の切断部Ａを除いた部位を覆うように設けられている。
【００１５】
カバー１４の側部１４Ｂには、切り欠き部１４Ｅに露出したカッター１２の刃先を覆うように板状の揺動カバー３０が揺動可能に支持されている。揺動カバー３０の上端部には、揺動カバー３０を回転させる軸部３２が設けられており、揺動カバー３０の下端部には、半径方向下方側に突出する突出部３０Ａが設けられている（図１参照）。揺動カバー３０は、上端部の軸部３２を中心にホース５０の切断部Ａを覆う位置と、切断部Ａの上方側の当該切断部Ａに対して退避する位置との間を揺動する。揺動カバー３０の突出部３０Ａは重りとして機能しており、揺動カバー３０は通常の状態では自重によりホース５０の切断部Ａを覆う位置に移動している。また、管体切断装置１０には、揺動カバー３０と対向する位置に、揺動カバー３０がホース５０の切断部Ａより下方側に回転することを規制するストッパ（図示省略）が設けられている。
【００１６】
カバー１４の側部１４Ｂと反対側の側部１４Ｃの下部には、カッター１２の下端部１２Ａに形成された刃先の一部を露出させる切り欠き部１４Ｆが形成されている。カバー１４の側部１４Ｃには、切り欠き部１４Ｆに露出したカッター１２の刃先の一部を覆うように板状の揺動カバー３４が揺動可能に支持されている。揺動カバー３４の上端部には、揺動カバー３４を回転させる軸部３６が設けられている。揺動カバー３４は、上端部の軸部３６を中心にホース５０の切断部Ａを覆う位置と、切断部Ａの上方側の当該切断部Ａに対して退避する位置との間を揺動する（図４参照）。揺動カバー３４は通常の状態では自重によりホース５０の切断部Ａを覆う位置に移動している。また、管体切断装置１０には、揺動カバー３４と対向する位置に、揺動カバー３４がホース５０の切断部Ａより下方側に回転することを規制するストッパ（図示省略）が設けられている。
【００１７】
管体切断装置１０には、ガイド部材２４、２６に保持されたホース５０の軸方向と直交する方向にカッター１２を相対的に移動させる移動装置４０が設けられている。移動装置４０は、支持台１８に設けられた回転軸４２を中心に回転可能に支持されたアーム４４を備えており、アーム４４の先端部に設けられた円弧状の支持部４６にモータ２２が固定支持されている。アーム４４が回転軸４２を中心に回転し、モータ２２が下方側に移動することで、カッター１２の刃先が下方側に移動し、ガイド部材２４、２６に保持されたホース５０が軸方向と直交する方向に切断されるようになっている。カッター１２の刃先が下方側に移動してホース５０が切断される過程で、ホース５０の周面に押されて揺動カバー３０、３４がホース５０の切断部Ａに対して退避する位置へ移動するようになっている。
【００１８】
次に、管体切断装置１０の作用について説明する。
【００１９】
支持台１８の側部に設けられた複数のガイド部材２４上にホース５０を配置し、ホース５０の上面をガイド部材２６に係止することにより、ホース５０が支持台１８に保持される。ガイド部材２４、２６にホース５０が保持された状態で、カッター１２の刃先がホース５０と対向する位置がホース５０の切断部Ａとなる。この状態で、移動装置４０のアーム４４を手動により下方側に回転させることで、カッター１２の刃先が下方側に移動する。その際、ホース５０の周面に押されて揺動カバー３０、３４がホース５０の切断部Ａから上方側に徐々に回転し、カッター１２の刃先でホース５０が軸方向と直交する方向に切断される。そして、図２、図４及び図６に示されるように、カッター１２の刃先でホース５０が切断される過程で、ホース５０の周面に押されて揺動カバー３０、３４がホース５０の切断部Ａに対して退避する位置へ回転し、ホース５０の切断が完了する。
【００２０】
このような管体切断装置１０では、ホース５０を支持台１８の切断部Ａにセットしたときに揺動カバー３０、３４がカッター１２の刃先を覆っており、カッター１２を下方側に移動させてカッター１２の刃先でホース５０を切断する過程で、揺動カバー３０、３４が切断部Ａに対して退避する位置へ回転する。このため、ホース５０の切断時に揺動カバー３０、３４によりカッター１２の刃先が露出することが回避され、カッター１２の回転時にユーザーがカッター１２の刃先に触れるのを防止することができる。
【００２１】
また、カッター１２の両側面に板状の揺動カバー３０、３４が設けられており、揺動カバー３０、３４が軸部３２、３６を中心に回転するため、揺動カバー３０、３４の支持構造が複雑化せず、コストアップを抑えることができる。
【００２２】
図７に示されるように、比較例に係る管体切断装置１００では、カバー１４の下部に切り欠き部１４Ｅ、１４Ｆが形成されており、切り欠き部１４Ｅ、１４Ｆでカッター１２の刃先が露出している。この切り欠き部１４Ｅ、１４Ｆの位置でカッター１２によりホース５０が切断される。この管体切断装置１００では、切り欠き部１４Ｅ、１４Ｆでカッター１２の刃先が露出しているため、カッター１２の回転時にユーザーがカッター１２の刃先に触れる可能性がある。これに対して、本実施形態では、ホース５０の切断時に揺動カバー３０、３４によりカッター１２の刃先が露出することが回避され、カッター１２の回転時にユーザーがカッター１２の刃先に触れるのを防止することができる。
【００２３】
なお、上記実施形態では、初期状態では、揺動カバー３０、３４が自重によりホース５０の切断部Ａにあり、ホース５０の切断過程でホース５０の周面に押されて揺動カバー３０、３４が上方側に回転する構成であったが、これに限定されるものではない。例えば、揺動カバーをばね等の付勢部材によりホース５０の切断部Ａに移動させておき、ホース５０の切断過程で揺動カバーが付勢部材の力に抗して切断部Ａに対して退避する位置に移動する構成でもよい。
【００２４】
また、切断部Ａの位置、揺動カバーの形状及び位置も上記実施形態に限定されず、他の構成でもよい。
【００２５】
また、上記実施形態では、ホース５０を切断したが、ゴム製の管体に限定されず、樹脂製の管体を切断する場合にも本発明の管体切断装置を用いることができる。
【図面の簡単な説明】
【００２６】
【図１】本発明の一実施形態に係る管体切断装置を一方向から見た側面図であって、揺動カバーがホースの切断部にある状態を示す図である。
【図２】本発明の一実施形態に係る管体切断装置を一方向から見た側面図であって、揺動カバーがホースの切断部に対して退避した状態を示す側面図である。
【図３】本発明の一実施形態に係る管体切断装置を図１と逆方向から見た側面図であって、揺動カバーがホースの切断部にある状態を示す図である。
【図４】本発明の一実施形態に係る管体切断装置を図１と逆方向から見た側面図であって、揺動カバーがホースの切断部に対して退避した状態を示す側面図である。
【図５】本発明の一実施形態に係る管体切断装置を示す断面図である。
【図６】本発明の一実施形態に係る管体切断装置を一方向から見た斜視図である。
【図７】比較例に係る管体切断装置を示す斜視図である。
【符号の説明】
【００２７】
１０   管体切断装置
１２   カッター
１４   カバー
２４   ガイド部材（保持部）
２６   ガイド部材（保持部）
３０   揺動カバー
３４   揺動カバー
４０   移動装置（移動手段）
５０   ホース（管体）
【図１】
2010131692.tif 000003
【図２】
2010131692.tif 000004
【図３】
2010131692.tif 000005
【図４】
2010131692.tif 000006
【図５】
2010131692.tif 000007
【図６】
2010131692.tif 000008
【図７】
2010131692.tif 000009